(57)【特許請求の範囲】
【請求項１】
光軸方向に移動可能に設けられた撮影用ズームレンズを含む撮影光学系を有する撮影レンズユニットと、
この撮影レンズユニットにおける撮影用ズームレンズの移動に連動して光軸方向に移動可能に設けられた観察用ズームレンズを含むファインダ光学系を有する光学ファインダユニットとを備え、
前記撮影レンズユニットは、
前記撮影用ズームレンズの光軸方向への移動に伴って当該光軸方向へ移動するとともに、前記移動方向以外の特定方向に対しては変位自在に設けられた駆動力伝達子を備えており、
前記光学ファインダユニットは、
前記駆動力伝達子と係合して当該駆動力伝達子の前記特定方向への位置規制を行ない、当該駆動力伝達子が前記光軸方向へ移動することを許容するガイド部と、
このガイド部により動きを規制された前記駆動力伝達子の移動に伴って、前記光学ファインダユニットのズーム倍率が所定ズーム倍率となるように前記観察用ズームレンズを移動させるズームレンズ移動機構と、
前記ファインダ光学系を収納するケースとを備え、
前記ガイド部は、前記光学ファインダユニットのケースに形成される溝部であることを特徴とするカメラ。
【請求項２】
前記ズームレンズ移動機構は、前記駆動力伝達子の移動量を光学ファインダユニットの観察用ズームレンズの移動量に変換する為のカム部を有し、且つ支軸を中心に回動するカムレバーを備えており、
前記駆動力伝達子は、前記ガイド部と前記カム部の双方に対し共通に係合する如く設けられていることを特徴とする請求項１に記載のカメラ。
【請求項３】
前記駆動力伝達子は、前記カムレバーに開口として形成された前記カム部を貫通し、その貫通端部が前記ガイド部の溝部に係合する如く設けられていることを特徴とする請求項２に記載のカメラ。
【請求項４】
前記カムレバーは、前記ファインダ光学系において異なる移動をする複数のズームレンズの数に対応した数だけ積層され、かつ前記駆動力伝達子が当該カムレバーの各カム部を貫通するように配置されたことを特徴とする請求項３に記載のカメラ。
【発明の詳細な説明】
【０００１】
【発明の属する技術分野】
本発明は、撮影光学系のズーム倍率変更に伴って、ファインダ光学系のズーム倍率も同時に変わるように構成されたカメラに関する。
【０００２】
【従来の技術】
従来のこの種のカメラとして、撮影光学系のズームレンズの移動に伴って移動する駆動ピンを、撮影光学系のレンズ鏡筒から光学ファインダ側に突出させ、その先端を光学ファインダ側のカム板におけるカム溝に係合させることにより、上記駆動ピンの動きに応じてカム板が回動し、これに伴い光学ファインダ側の変倍レンズが駆動され、その結果、撮影光学系のズーム倍率変更に伴ってファインダ光学系のズーム倍率が変わるように構成されたカメラがある（特許文献１参照）。
【０００３】
なお通常の光学ファインダの光学的構成では、ズームレンズは二群あって、ズーム倍率に応じてその二群のレンズの位置と相対的な間隔が調整される。
【０００４】
【特許文献１】
特開２０００−１４７６０６号公報
【０００５】
【発明が解決しようとする課題】
一般に、撮影光学系とファインダ光学系とは、それぞれに汎用性をもたせるため、また組立ての作業性やメンテナンスの容易性を確保する都合上、異なるユニットとして別々に構成される。したがって、撮影光学系のズーム倍率変更に伴ってファインダ光学系のズーム倍率を変更するためには、両ユニットを精度良く結合させ、前記駆動ピンの光軸方向への動きを、カム板に対して正確に伝える必要がある。
【０００６】
通常の場合、撮影レンズユニットと光学ファインダユニットとは、例えばピンやボス等の位置決め手段を用いて結合される。したがって撮影レンズユニットの駆動ピンの位置と、光学ファインダユニットのカム溝の位置等が正確に一致するように、部品精度や相互の位置関係等を管理しなければならない。また組立時において微細な調整をしなければならない。
【０００７】
因みに、駆動ピンの位置が光軸方向以外の特定方向へずれた状態で、ズームレンズの動きが伝達されると、カムの構成如何によっては撮影光学系とファインダ光学系との相互のズーム倍率がずれるばかりでなく、光学ファインダの二群レンズの相対的な間隔がずれてしまう。この結果、視度が合わなくなり光学ファインダとしての観察機能が著しく劣化することになる。
【０００８】
なお組立て現場において、駆動ピンの位置に応じた光学ファインダの位置決め調整や、光学ファインダ内部のレンズ調整を行なうことは、組み立て工数を増大させコストアップを招くので望ましくない。
【０００９】
本発明は、このような事情に基づいてなされたものであり、その目的は、下記のような利点を有するカメラを提供することにある。
【００１０】
（ａ）撮影レンズユニットと光学ファインダユニットとの組付けに際し、両者間の相対的な位置調整等を格別に行なわなくとも、両者を適正な状態に組付けることができる。
【００１１】
（ｂ）撮影光学系のズーム倍率とファインダ光学系のズーム倍率とにずれが生じるのを防止でき、上記ズーム倍率のずれに起因する光学ファインダの観察機能の劣化等を防止できる。
【００１２】
（ｃ）構成は簡単で、容易に製作することができる。
【００１３】
【課題を解決するための手段】
前記課題を解決し目的を達成するために、本発明のカメラは下記のような特徴ある構成を有している。なお下記以外の特徴ある構成については実施形態の中で明らかにする。
【００１４】
本発明のカメラは、光軸方向に移動可能に設けられた撮影用ズームレンズを含む撮影光学系を有する撮影レンズユニットと、この撮影レンズユニットにおける撮影用ズームレンズの移動に連動して光軸方向に移動可能に設けられた観察用ズームレンズを含むファインダ光学系を有する光学ファインダユニットとを備え、前記撮影レンズユニットは、前記撮影用ズームレンズの光軸方向への移動に伴って当該光軸方向へ移動するとともに、前記移動方向以外の特定方向に対しては変位自在に設けられた駆動力伝達子（駆動ピン）を備えており、前記光学ファインダユニットは、前記駆動力伝達子（駆動ピン）と係合して当該駆動力伝達子の前記特定方向への位置規制を行ない、当該駆動力伝達子が前記光軸方向へ移動することを許容するガイド部と、このガイド部により動きを規制された前記駆動力伝達子の移動に伴って、前記光学ファインダユニットのズーム倍率が所定ズーム倍率となるように前記観察用ズームレンズを移動させる第二のズームレンズ移動機構と、前記ファインダ光学系を収納するケースと、を備え、前記ガイド部は、前記光学ファインダユニットのケースに形成される溝部であることを特徴としている。
【００１５】
上記カメラにおいては、たとえ撮影光学系とファインダ光学系との間に取付け寸法上のバラツキ等があっても、そのバラツキによる位置ずれは駆動力伝達子の特定方向への変位により吸収される。そして駆動力伝達子は、光学ファインダユニットの所定位置に予め正確に形成されているガイド部に対して的確に係合可能となる。したがって撮影レンズユニットと光学ファインダユニットとの組付けに際し、両者間の相対的な位置調整等を格別に行なわなくとも、両者を適正な状態に組付けることができる。また上記駆動力伝達子は上記ガイド部によって特定方向への位置規制を極めて精度よく行なわれる。その結果、撮影光学系のズーム倍率とファインダ光学系のズーム倍率とにずれが生じるのを防止でき、上記ズーム倍率のずれに起因する光学ファインダの観察機能の劣化等を防止できる。
【００１６】
【発明の実施の形態】
（一実施形態）
図１に示すように、電子カメラ本体１の内部には、入射光軸を０１１とする撮影光学系１０５を有する撮影レンズユニット１００と、ファインダ光学系２０５を有する光学ファインダユニット２００とが、両者間に若干の間隙をもった状態で且つ一体的に結合されて収容されている。図示の如く、上記撮影レンズユニット１００と光学ファインダユニット２００とは、カメラ正面から見てカメラ本体１の右側に配置されている。
【００１７】
図２および図３に示すように、撮影レンズユニット１００は、メイン機構Ａの上にズーム機構Ｂを一体的に取付けたものとなっている。メイン機構Ａは、光軸折り曲げ機構１１０と、この光軸折り曲げ機構１１０に光入射端側を連結させたレンズ鏡筒１２０とを有している。
【００１８】
図４の（ａ）（ｂ）、及び図５に示すように、光軸折り曲げ機構１１０は、撮影レンズ１１１およびプリズム１１２を保持部材１１３で保持したものとなっている。この保持部材１１３の光導出側開口端はレンズ鏡筒１２０と連結している。かくして上記光軸折り曲げ機構１１０による折り曲げ光学系１ＰＸが、撮影光学系１０５の一部を構成する。換言すれば撮影光学系１０５は、上記折り曲げ光学系１ＰＸを含んでいる。
【００１９】
上記折り曲げ光学系１ＰＸは、第一の光軸（入射光軸）０１１に沿って被写体から入射した光を、反射部材としてのプリズム１１２により上記第一の光軸０１１に対して略直角な第二の光軸０１２に沿って反射させる。第一の光軸０１１に沿った折り曲げ光学系を折り曲げ前光学系１ＰＡと呼び、第二の光軸０１２に沿った折り曲げ光学系を折り曲げ後光学系１ＰＢと呼ぶことにする。
【００２０】
レンズ鏡筒１２０の内部には、光入射端から入射した光に基づいて被写体像を結像可能な如く設けられた１群レンズ１２１、２群レンズ１２２（撮影用ズームレンズ）、３群レンズ１２３（フォーカス用レンズ）を含む撮影レンズ群が収容されている。これらの撮影レンズ群（１群レンズ１２１〜３群レンズ１２３）により結像された被写体像は、レンズ鏡筒１２０の光軸終端部に配置された撮像素子１２６により光電変換される。この撮像素子１２６には入出力端子列１７３（１７３ａ，１７３ｂ）が付設されている。上記撮像素子１２６の受光面前方における光軸０１２上には、４群レンズ１２４，ローパスフィルター１２５からなる光学部材１３０が配置されている。
【００２１】
このように、撮影レンズ群（１群レンズ１２１〜３群レンズ１２３），光学部材１３０（４群レンズ１２４，ローパスフィルター１２５），撮像素子１２６等は、すべて前記第二の光軸０１２に沿って形成された折り曲げ後光学系１ＰＢ内に配設されている。
【００２２】
本実施例の撮影光学系１０５は、上記折り曲げ光学系１ＰＸを有し、第二の光軸０１２の終端に撮像素子１２６を備えたデジタルカメラ用光学系を構成している。
【００２３】
前記１群レンズ１２１〜３群レンズ１２３は、各群レンズ保持枠１３１〜１３３によってそれぞれ保持されている。また４群レンズ１２４，ローパスフィルター１２５からなる光学部材１３０は保持枠１３４で保持されている。これら保持枠のうち、２群レンズ保持枠１３２及び３群レンズ保持枠１３３は、一対のガイド軸１７１，１７２（図２、図３参照）に案内されて、前記光軸０１２に沿った方向へ移動可能に設けられている。上記２群レンズ保持枠１３２の前面にはシャッタユニット１６０が搭載されている。また３群レンズ保持枠１３３の後面には当該３群レンズ保持枠１３３を駆動するための駆動源、すなわちアクチュエータとしてＡＦ（オートフォーカス）モータ１４０が搭載されている。
【００２４】
上記ＡＦモータ１４０やシャッタユニット１６０の駆動系に対して電力を供給するためのフレキシブルプリント基板１５０（１５１，１５２）が、レンズ鏡筒１２０の外部からレンズ鏡筒１２０の内部へ導入されている。このフレキシブルプリント基板１５０（１５１，１５２）は、厚み方向に屈曲可能な帯状をなしている。レンズ鏡筒１２０の内部へ導入された各フレキシブルプリント基板１５１，１５２の先端部位は、略同一部位で同方向にＵ字状に屈曲されたのち、２群レンズ保持枠１３２，３群レンズ保持枠１３３にそれぞれ固定されている。そして上記プリント基板１５１の先端１５１ａは、シャッタユニット１６０の駆動機構（不図示）に電気的に接続され、上記プリント基板１５２の先端１５２ａは、ＡＦモータ１４０に電気的に接続されている。
【００２５】
図４の（ａ）（ｂ）に示すように、前記光学部材１３０（４群レンズ１２４，ローパスフィルター１２５）を保持している保持枠１３４の一方側（図中上方側）の外面と、前記レンズ鏡筒１２０の内面との間には、前記ＡＦモータ１４０を収容可能な空間ＳＡ１が形成されている。また上記保持枠１３４の他方側（図中下方側）の外面と前記レンズ鏡筒１２０の内面との間には、前記フレキシブルプリント基板１５１，１５２の屈曲により生じた撓み部１５１ｂ，１５２ｂを収容可能な第二の空間ＳＡ２が形成されている。なおフレキシブルプリント基板１５１，１５２は屈曲により生じた撓み部１５１ｂ，１５２ｂが、前記第二の空間ＳＡ２に対して重なり合った状態で収容されるものとなっている。
【００２６】
前記第一の空間ＳＡ１および第二の空間ＳＡ２は、前記第一の光軸０１１と前記第二の光軸０１２とを含む平面を境として一方（図中上方）に存在する第一の領域Ｅ１および他方（図中下方）に存在する第二の領域Ｅ２にそれぞれ形成されている。
【００２７】
レンズ保持枠１３３の一部には規制部材１５５が設けられている。この規制部材１５５は、上記レンズ保持枠１３３の動きに伴う上記フレキシブルプリント基板１５１，１５２の撓み部１５１ｂ，１５２ｂの変動範囲を規制するための部材である。
【００２８】
図３に説明を戻す。ズーム機構Ｂは、メイン機構Ａに対して着脱自在に結合可能なユニットとして別設されている。このズーム機構Ｂは第一のズームレンズ移動機構（１８０〜１８４，１９１）及びファインダ駆動機構（１９２，１９３ほか）を備えている。
【００２９】
上記第一のズームレンズ移動機構（１８０〜１８４，１９１）は、取付けフレーム１８１に装着された駆動源すなわちアクチュエータとしてのズームモータ１８０と、このズームモータ１８０の動力で回転動作するリードスクリュー１８２と、このリードスクリュー１８２により駆動され、光軸０１２と平行に設けられたガイド軸１８３に沿って摺動し、前記ズームレンズ１２２を駆動操作するための駆動部材１９１とを備えている。
【００３０】
ファインダ駆動機構（１９２，１９３ほか）は、前記駆動部材１９１の移動に伴い前記ガイド軸１８３に沿って摺動するように設けられた摺動部材１９２と、この摺動部材１９２の上に突設された駆動力伝達子としての駆動ピン１９３とを備えている。摺動部材１９２は後述するようにスプリング１８４を介して２群レンズ保持枠１３２に連結される。このファインダ駆動機構（１９２，１９３ほか）に関しては、後で詳しく説明する。
【００３１】
前記駆動部材１９１と、摺動部材１９２と、駆動ピン１９３とは、変位伝達用スライダー１９０を構成している。
【００３２】
ズーム機構Ｂは、取付けフレーム１８１に設けてある取付孔１８５ａ，１８５ｂを介してメイン機構Ａのねじ穴１２７ａ，１２７ｂに対してねじ止めすることにより、メイン機構Ａと一体化される。
【００３３】
裏蓋Ｃは、板状部材１２８に設けてある取付孔１２８ｂを通して、取り付けねじ１２８ａをメイン機構Ａのねじ穴１２７ｃにねじ止めすることにより、メイン機構Ａと一体化される。
【００３４】
メイン機構Ａに対し、ズーム機構Ｂが一体化された状態になると、前記ズームモータ１８０は、前記ＡＦモータ１４０と共に前記第一の領域Ｅ１内に配置される。そして上記ズームモータ１８０は、前記レンズ鏡筒１２０の前部外方であって、且つ前記第一の領域Ｅ１内に存在する前記プリズム１１２に近接して配置される。上記ＡＦモータ１４０とズームモータ１８０との間には、前記撮影レンズ群（１群レンズ１２１〜３群レンズ１２３）のうちの少なくとも一つのレンズが配置されている。
【００３５】
図６の（ａ）（ｂ）は、本実施例に係る撮影レンズユニット１００のファインダ駆動機構（１９２，１９３）の構成を、前記駆動部材１９１と共に示す図で、図６の（ａ）は主要部の側面図、図６の（ｂ）は図６の（ａ）の６ｂ−６ｂ線矢視断面図である。
【００３６】
ファインダ駆動機構（１９２，１９３）は、前記第一のズームレンズ移動機構（１８０〜１８４，１９１）による前記撮影光学系１０５のズームレンズ１２２の動きに、後述する第二のズームレンズ移動機構（２４０，２５０，２７０）を連動させ、ファインダ光学系２０５のズームレンズ２２２を移動させる機構である。
【００３７】
図６の（ａ）（ｂ）に示すように、摺動部材１９２はＬ形部材の一方の部片における端縁部に、円筒形をなす二つの脚部１９２ａ，１９２ｃを有している。上記二つの脚部１９２ａ，１９２ｃは、所定距離だけ離間して設けられており、前記駆動部材１９１の円筒形をなす脚部１９１ａの両端を両側から挟み付けるような態様でガイド軸１８３に嵌め込まれている。上記脚部１９２ａ，１９２ｃは、ガイド軸１８３に対し、軸方向に摺動自在であると共に軸周り方向にも回動自在となっている。摺動部材１９２はＬ形部材の他方の部片における略中央に、回動範囲規制機構としての開口部１９２ｂを有している。上記開口部１９２ｂは駆動部材１９１の上部に形成されている突起１９１ｂに所定の「遊び」をもって嵌合している。
【００３８】
かくして摺動部材１９２の上に突設されている駆動力伝達子としての駆動ピン１９３は、光軸０１２方向以外の特定方向（前記光軸に対して直交する方向）に対し、所定の角度範囲内で矢印Ｍ，Ｎで示す如く変位自在となている。
【００３９】
摺動部材１９２の下部には突片１９２ｄが設けられている。この突片１９２ｄと、前記２群レンズ保持枠１３２に設けられている突片１３２ａとの間には、付勢部材としての引っ張りばね１８４が張設されている。かくして前記摺動部材１９２は、引っ張りばね１８４の付勢力により、矢印Ｐで示す如く前記駆動部材１９１に対し圧接した状態で連結されている。
【００４０】
したがって摺動部材１９２は、前記「遊び」に相当する角度だけガイド軸周りに回動可能な状態を保たれながら、前記駆動部材１９１の動きに連動してガイド軸１８３に沿って前記光軸０１２方向へ移動可能となっている。
【００４１】
図７は本実施例に係る撮影レンズユニット１００と光学ファインダユニット２００との対応関係を示す図で、撮影レンズユニット１００と光学ファインダユニット２００とを分離して示す斜視図である。また図８はファインダ光学系２０５の概略的構成を示す略式平面図である。
【００４２】
図７及び図８に示すように、撮影レンズユニット１００は、ケース１０１の内部に折り曲げ光学系１ＰＸを含む撮影光学系１０５を有している。上記ケース１０１は、折り曲げ光学系１ＰＸにおける折り曲げ前光学系１ＰＡの光軸すなわち入射光軸０１１（この光軸は前記カメラ本体１の厚み方向に一致している）に平行な方向の寸法Ｌ１１が、上記入射光軸０１１と直角な方向の折り曲げ後光学系１ＰＢの光軸０１２（この光軸は前記カメラ本体１の幅方向に一致している）に平行な方向の寸法Ｌ１２より短い寸法に設定された外形形状（略直方体形状）を有している。
【００４３】
また光学ファインダユニット２００は、ケース２０１の内部に折り曲げ光学系２ＰＸを含むファインダ光学系２０５を有している。
【００４４】
ファインダ光学系２０５の光軸は、レンズ群２０６における折り曲げ前光学系２ＰＡにおける入射光軸０２１と、折り曲げ後光学系２ＰＢにおける２回の反射を含む折り曲げ後光軸０２２から構成される。入射した被写体光束は、レンズ群２０６を通過し、先ず反射面で折り曲げられる。折り曲げられた光束は、さらに折り曲げ後光学系２ＰＢを具体的に構成する不図示のレンズやプリズムの作用によって、図８のように２回反射した後、撮影者の瞳に入る。
【００４５】
上記ケース２０１は、入射光軸０２１に平行な方向の寸法Ｌ２１及びこれに直角な方向の寸法Ｌ２２が、前記撮影レンズユニット１００における各寸法Ｌ１１，Ｌ１２に近似するように設定された外形形状を有している。
【００４６】
光学ファインダユニット２００は、撮影レンズユニット１００の上面に若干の間隙を隔てて載置固定される。すなわち撮影レンズユニット１００のケース１０１の上面に突出している前記ファインダ取付け用ボス１２９ａ，１２９ｂに対し、ケース２０１の取付け部に設けた取付け孔２０２ａ，２０２ｂを通してねじ止めすることにより、光学ファインダユニット２００は、撮影レンズユニット１００の上に固定される。
【００４７】
このとき、光学ファインダユニット２００は、撮影レンズユニット１００に対し、ファインダ光学系２０５の折り曲げ前光学系２ＰＡ及び折り曲げ後光学系２ＰＢが、撮影光学系１０５の折り曲げ前光学系１ＰＡ及び折り曲げ後光学系１ＰＢにそれぞれ隣接するように、一体的に結合される。特に本実施例では、撮影光学系１０５における折り曲げ前光学系１ＰＡの光軸（入射光軸０１１）の真上に、ファインダ光学系２０５における折り曲げ前光学系２ＰＡの光軸（入射光軸０２１）が位置するように配置されている。
【００４８】
前記撮影レンズユニット１００における撮影用ズームレンズ１２２を含むレンズ群１０６は、前記撮影光学系１０５の折り曲げ後光学系１ＰＢに設けられている。これに対し、前記光学ファインダユニット２００における観察用ズームレンズ２２２を含むレンズ群２０６は、前記ファインダ光学系２０５の折り曲げ前光学系２ＰＡに設けられている。したがって前記撮影用ズームレンズ１２２の移動方向は、カメラ本体１の幅方向に平行な方向であり、前記観察用ズームレンズ２２２の移動方向は、カメラ本体１の厚み方向に平行な方向であり、両者は直角に交差している。
【００４９】
上記撮影レンズユニット１００と光学ファインダユニット２００との組付け完了状態において、撮影レンズユニット１００の上方に突出している前記駆動ピン１９３は、光学ファインダユニット２００のケース底板に設けた開口部２６３を通して、光学ファインダユニット２００内の第二のズームレンズ移動機構（後述する）に係合する。符号１０３は撮影レンズ窓、符号２０３はファインダ前窓、符号２０４はファインダ接眼窓である。
【００５０】
図９は光学ファインダユニット２００の構成を示す分解斜視図である。光学ファインダユニット２００は、図の中央部位に示すユニット基体２１０を中心に構成されている。このユニット基体２１０は前記ファインダ光学系２０５を構成する光学部品２２０を収容可能なように、複数箇所で反射を繰り返して蛇行する樋状の収容凹部２１２を有している。光学部品２２０は、後述する１群レンズ２２１（１-Ｏ），２群レンズ（観察用ズームレンズ）２２２（２Ｔ），３群レンズ２２３（３Ｔ），を含むファインダレンズ群２０６と、光軸折り曲げ機構２２４と、折り曲げ後光学系２ＰＢを収容している鏡筒２２５とを備えている。収容凹部２１２の開口部は上蓋２３０で塞がれる。
【００５１】
前記ユニット基体２１０の底板には、前記撮影レンズユニット１００の光軸０１２に平行な直線状の有底溝からなる駆動ピンガイド部２１３が設けられている。この駆動ピンガイド部２１３は、図中下端部位に示されている撮影レンズユニット１００側の駆動ピン１９３と係合し、当該駆動ピン１９３の前記特定方向すなわち上記光軸０１２と直交する方向への回動規制を行なう。かくして、所定角度範囲内で変位自在に設けられている駆動ピン１９３が、駆動ピンガイド部２１３によりその変位を規制される。
【００５２】
ユニット基体２１０の底板下面には、第二のズームレンズ移動機構としてのカムレバー２４０，２５０，および支軸２７０等が、レバー取付け板２６０によって取付けられている。レバー取付け板２６０は、その周辺部に取付け固定用の係止片２６２ａ，２６２ｂ，２６２ｃを有している。
【００５３】
第二のズームレンズ移動機構（２４０，２５０，２７０）は、前記ガイド部２１３により動きを規制された前記駆動ピン１９３の移動に伴って、ファインダ光学系２０５における観察用ズームレンズ２２２等を当該ファインダ光学系２０５の光軸０２１方向に移動させるものである。
【００５４】
前記ズームレンズ移動機構（２４０，２５０，２７０）は、薄板からなる複数（本実施例では二つ）のカムレバー２４０，２５０が、支軸２７０によって各基端部を共通に軸支され、各先端部がそれぞれ回動可能となるように設けられている。
【００５５】
カムレバー２４０，２５０は、駆動板２４４，２５４を主体として構成されている。駆動板２４４及び２５４の各基端部には、軸孔２４１及び２５１がそれぞれ設けられている。これらの軸孔２４１及び２５１は、ユニット基体２１０の底板部に設けた軸受２１１と、レバー取付け板２６０の軸受２６１とで支持された支軸２７０によって共通に軸支されている。かくして薄板からなる駆動板２４４，２５４は、各先端部がそれぞれ回動可能な如く積層された状態で装着される。駆動板２４４及び２５４のそれぞれの略中央部位には、円弧状のスリットからなるカム部２４３，２５３が形成されている。
【００５６】
前記駆動ピン１９３は、前記レバー取付け板２６０の開口部２６３を通して上記カム部２５３，２４３を貫通し、更にその貫通端部が前記直線状の有底溝からなる駆動ピンガイド部２１３に係合するように設けられている。
【００５７】
かくして駆動ピン１９３が前記光軸０１２方向に移動するのに伴って、各カムレバー２４０，２５０は、それぞれのカム部２４３，２５３の形状に応じた変位量に基づいて回動する。この結果、撮影光学系１０５の撮影用ズームレンズ１２２の移動量が、ファインダ光学系２０５のレンズグループの移動量に変換される。この変換された移動量は、各駆動板２４４，２５４の各先端に設けられた移動操作部２４２，２５２によって、前記レンズ群２０６の２群レンズ２２２及び３群レンズ２２３にそれぞれ伝達される。
【００５８】
この結果、少なくとも撮影用ズームレンズ１２２の移動変位が、変位伝達機構（１９０，２４０，２５０，２７０等）によって、前記観察用ズームレンズ２２２に伝達されることになる。
【００５９】
図１０及び図１１は、カムレバー２４０，２５０とファインダ光学系２０５における観察用ズームレンズ２２２を含む複数（本実施例では二つ）の移動レンズ２２２，２２３との関係を示す図である。なお図１０は WIDE［広角］の状態、図１１は TELE［望遠］の状態を示している。
【００６０】
図１０及び図１１において、二つの移動レンズ２２２，２２３は、圧縮状態の付勢部材２８４により、矢印で示す如くファインダ光学系２０５の光軸０２１に沿って互いに離反する方向へ付勢されている。前記カムレバー２４０，２５０の各移動操作部２４２，２５２は、各カム部２４３，２５３に係合する駆動ピン１９３の規制により、前記付勢力に抗して、移動レンズ群２２２，２２３を所定位置に位置決め制御するように、当該移動レンズ２２２，２２３とそれぞれ一体化されているレンズ移動枠２８２、２８３に当接している。
【００６１】
前記各カムレバー２４０，２５０に設けられた各カム部２４３，２５３は、それぞれの貫通溝の両側面のうちの一方を、カム機能を発揮する上で有効なカム面としている。すなわちカム部２４３においては前記圧縮状態の付勢部材２８４による付勢力に抗する回動方向の一側面（図中右側面）をカム面としている。またカム部２５３においては前記圧縮状態の付勢部材２８４による付勢力に抗する回動方向の一側面（図中左側面）をカム面としている。かくして移動レンズ２２２，２２３は、駆動ピン１９３が光軸０１２の方向（図１０，図１１において上下方向）へ移動すると、その移動方向とは直角な方向へ移動するものとなる。
【００６２】
上記カム部２４３，２５３を構成する貫通溝の各カム面とは反対側に位置する各他側面の中央部位には、ピン挿入操作用の切欠部２４３ａ，２５３ａがそれぞれ設けられている。これらピン挿入操作用の切欠部２４３ａ，２５３ａは、組立て時において前記駆動ピン１９３を挿入操作し易いように、貫通溝の溝幅を広げた領域である。上記切欠部２４３ａ，２５３ａは、本実施例では図示の如く略半円状をなしている。上記略半円状をなす二つの切欠部２４３ａ及び２５３ａは、半円の向きが互いに逆向きになっており、且つ支軸２７０を中心とする同一回動半径ｒの軌跡上に位置している。
【００６３】
図１２は上記略半円状をなすピン挿入操作用の切欠部２４３ａ，２５３ａを利用して駆動ピン１９３をカム部２４３，２５３に挿入操作する手順を示す図である。まず図示の如く、各カムレバー２４０，２５０の回動位置を微調整することにより、略半円状をなす二つの切欠部２４３ａ，２５３ａが単一の円孔となる位置を見出す。上記単一の円孔は、その直径が駆動ピン１９３の外径に比べて若干大き目となるように予め設定されている。そこで組立て時においては、上記若干大き目の単一の円孔に対して駆動ピン１９３を挿入操作すればよい。従って、各カム部２４３，２５３の貫通溝に対し駆動ピン１９３を極めて容易に挿通することができる。
【００６４】
図１３は駆動ピン１９３の移動量と移動レンズ２２２，２２３の移動量との関係を模式的に示す特性図である。図示の如く、駆動ピン１９３の移動量が増大するのに伴って、二つの移動レンズ２２２，２２３は、傾斜の異なる直線（実際には非リニアな曲線を描く）で示すように別々の移動変化率で移動していく。これにより撮影用ズームレンズ１２２の移動に連動して観察用ズームレンズ２２２を含む二つの移動レンズ２２２，２２３が、所定のズーム倍率となるように移動する事になる。
【００６５】
ところで今、仮に、駆動ピン１９３が例えば組付け位置の誤差などにより、光軸０１２に沿った移動方向とは直角な特定方向へずれたとする。そうすると、そのずれ量に応じて、ファインダ光学系２０５のズーム倍率などに狂いが生じる。たとえば図示の如く、駆動ピン１９３が所定移動位置Ｓ１において特定方向へ+ｄだけずれたとする。そうすると、二つの移動レンズ２２２，２２３の移動量が共に一定量＋ｄづつ移動することになる。その結果、二つの移動レンズ２２２，２２３の移動変化率の相対的な関係が崩れてしまい、正規のズーム倍率を維持できなくなる。
【００６６】
しかるに本実施例においては、フリーな状態になっている駆動ピン１９３が、前記ガイド部２１３によって、特定方向への位置規制を厳格に行なわれる。この結果、撮影レンズユニット１００と光学ファインダユニット２００との相対的な取付け誤差が、フリーな状態になっている駆動ピン１９３の作用で吸収されると共に、駆動ピン１９３の特定方向への位置ずれが、ガイド部２１３によって厳しく規制されるため、上述したズーム倍率などに狂いが生じるおそれがない。
【００６７】
（実施形態における特徴点）
［１］実施例に示されたカメラは、
光軸０１２方向に移動可能に設けられた撮影用ズームレンズ１２２を含む撮影光学系１０５を有する撮影レンズユニット１００と、
この撮影レンズユニット１００における撮影用ズームレンズ１２２の移動に連動して光軸０２１方向に移動可能に設けられた観察用ズームレンズ２２２を含むファインダ光学系２０５を有する光学ファインダユニット２００とを備え、
前記撮影レンズユニット１００は、
前記撮影用ズームレンズ１２２の光軸０１２方向への移動に伴って当該光軸０１２方向へ移動するとともに、上記移動方向以外の特定方向に対しては変位自在に設けられた駆動力伝達子（駆動ピン１９３）を備えており、
前記光学ファインダユニット２００は、
前記駆動力伝達子と係合して当該駆動力伝達子の前記特定方向への位置規制を行ない、当該駆動力伝達子が前記光軸０１２方向へ移動することを許容するガイド部２１３と、
このガイド部２１３により動きを規制された前記駆動力伝達子（駆動ピン１９３）の移動に伴って、前記光学ファインダユニット２００のズーム倍率が所定ズーム倍率となるように前記観察用ズームレンズ２２２を移動させる第二のズームレンズ移動機構（２４０，２５０，２７０）と、
を備えたことを特徴としている。
【００６８】
上記カメラにおいては、たとえ撮影光学系１０５とファインダ光学系２０５との間に取付け寸法上のバラツキ等があっても、そのバラツキによる位置ずれは前記駆動力伝達子（駆動ピン１９３）の特定方向への変位により吸収される。そして前記駆動力伝達子（駆動ピン１９３）は、光学ファインダユニット２００の所定位置に予め正確に形成されているガイド部２１３に対して的確に係合可能となる。したがって撮影レンズユニット１００と光学ファインダユニット２００との組付けに際し、両者間の相対的な位置調整等を格別に行なわなくとも、両者を適正な状態に組付けることができる。また前記駆動力伝達子（駆動ピン１９３）は上記ガイド部２１３によって特定方向への位置規制を極めて精度よく行なわれる。その結果、撮影光学系１０５のズーム倍率とファインダ光学系２０５のズーム倍率とにずれが生じるのを防止でき、上記ズーム倍率のずれに起因する光学ファインダの観察機能の劣化等を防止できる。
【００６９】
［２］実施例に示されたカメラは、前記［１］に記載のカメラであって、
前記ガイド部２１３は、前記光学ファインダユニット２００のケース２１０に前記撮影レンズユニット１００の光軸０１２と平行に設けられた溝部であり、
前記第二のズームレンズ移動機構（２４０，２５０，２７０）は、前記駆動力伝達子１９３の移動量を光学ファインダユニット２００の観察用ズームレンズ２２２の移動量に変換する為のカム部（２４３，２５３）を有し、支軸２７０を中心に回動するカムレバー（２４０，２５０）を備えてなり、
前記駆動力伝達子（駆動ピン１９３）が、前記ガイド部２１３と前記カム部（２４３，２５３）の双方に対し共通に係合することを特徴としている。
【００７０】
［３］実施例に示されたカメラは、前記［２］に記載のカメラであって、
前記駆動力伝達子（駆動ピン１９３）は、前記カムレバー２４０，２５０に開口（円弧状のスリット）として形成された前記カム部２４３，２５３を貫通し、その貫通端部が前記ガイド部２１３の溝部に係合するように設けられていることを特徴としている。
【００７１】
上記カメラにおいては、ガイド部２１３の溝部でガイドされる単一の駆動力伝達子（駆動ピン１９３）と、この駆動力伝達子（駆動ピン１９３）が貫通しているカム部２４３，２５３との相対的な動きを通して、カムレバー２４０，２５０を正確に回動制御し得るものとなっている。したがって、構成が簡単でコンパクトに形成できる。
【００７２】
［４］実施例に示されたカメラは、前記［３］に記載のカメラであって、
前記カムレバー２４０，２５０は、前記ファインダ光学系２０５において異なる移動をする複数のズームレンズ２２２，２２３の数に対応した数だけ積層され、かつ前記駆動力伝達子（駆動ピン１９３）が当該カムレバー２４０，２５０の各カム部２４３，２５３を貫通するように配置されたことを特徴としている。
【００７３】
上記カメラにおいては、各カムレバー２４０，２５０に駆動対象のズームレンズに対応した単一のカム部２４３，２５３をそれぞれ形成すればよいので、構成が簡単で製作しやすい。
【００７４】
（変形例）
実施形態に示されたカメラは、下記の変形例を含んでいる。
【００７５】
・カム面がカムレバーの一端縁に沿って設けられたカム部を有するもの。
【００７６】
・貫通のガイド溝からなるガイド部を備えたもの。
【００７７】
・折り曲げ光学系の反射部材としてミラーを用いたもの。
【００７８】
【発明の効果】
本発明によれば、下記のような作用効果を有するカメラを提供できる。
【００７９】
（ａ）撮影光学系とファインダ光学系との間の取付け寸法上のバラツキ等による位置ずれは、駆動力伝達子の特定方向への変位により吸収される。したがって撮影レンズユニットと光学ファインダユニットとの組付けに際し、両者間の相対的な位置調整等を格別に行なわなくとも、両者を適正な状態に組付けることができる。
【００８０】
（ｂ）駆動力伝達子は、ガイド部によって特定方向への位置規制を極めて精度よく行なわれる。その結果、撮影光学系のズーム倍率とファインダ光学系のズーム倍率とにずれが生じるのを防止でき、上記ズーム倍率のずれに起因する光学ファインダの観察機能の劣化等を防止できる。
【００８１】
（ｃ）構成は簡単であるため、容易に製作することができる。
【図面の簡単な説明】
【図１】本発明の一実施例に係る電子カメラの概略的な構成を示す略式外観図。
【図２】本発明の一実施例に係る撮影レンズユニットを、裏蓋を取外して示す外観斜視図。
【図３】本発明の一実施例に係る撮影レンズユニットをメイン機構とズーム機構と裏蓋とに分離して示す分解斜視図。
【図４】本発明の一実施例に係る撮影レンズユニットの主要部を正面から見た断面図で、図４の（ａ）はWIDE［広角］状態を示す図、図４の（ｂ）はTELE［望遠］状態を示す図。
【図５】本発明の一実施例に係る撮影レンズユニットの主要部を上面から見た断面図。
【図６】本発明の一実施例に係る撮影レンズユニットのファインダ駆動機構の構成を駆動部材と共に示す図で、図６の（ａ）は主要部の側面図、図６の（ｂ）は、図６（ａ）の６ｂ−６ｂ線矢視断面図。
【図７】本発明の一実施例に係る撮影レンズユニットと光学ファインダユニットとの対応関係を示す図で、撮影レンズユニットと光学ファインダユニットとを分離して示す斜視図。
【図８】本発明の一実施例に係る光学ファインダユニットにおけるファインダ光学系の概略的構成を示す略式平面図。
【図９】本発明の一実施例に係る光学ファインダユニットの構成を示す分解斜視図。
【図１０】本発明の一実施例に係るカムレバーと、ファインダ光学系における観察用ズームレンズを含む複数の移動レンズとの関係（WIDE［広角］状態）を示す図。
【図１１】本発明の一実施例に係るカムレバーと、ファインダ光学系における観察用ズームレンズを含む複数の移動レンズとの関係（TELE［望遠］状態）を示す図。
【図１２】本発明の一実施例に係るピン挿入操作用の切欠部を利用して、駆動ピンをカム部に挿入操作する手順を示す図。
【図１３】本発明の一実施例に係る駆動ピンの移動量と移動レンズの移動量との関係を模式的に示す特性図。
【符号の説明】
１…カメラ本体    １００…撮影レンズユニット
１０５…撮影光学系
１１０，２２４…光軸折り曲げ機構
１ＰＸ，２ＰＸ…折り曲げ光学系
１ＰＡ，２ＰＡ…折り曲げ前光学系
１ＰＢ，２ＰＢ…折り曲げ後光学系
Ｏ１１，０２１…第一の光軸（入射光軸）
Ｏ１２，０２２…第二の光軸
１２０…レンズ鏡筒
１２１〜１２３…１群レンズ〜３群レンズ
１２５…ローパスフィルター
１２６…撮像素子
１３０…光学部材        １３４…保持枠
１３１〜１３３…１群〜３群レンズ保持枠
１４０…ＡＦモータ    １５５…規制部材
１５０（１５１，１５２）…フレキシブルプリント基板
１６０…シャッタユニット
１８０…ズームモータ
１９０…変位伝達用スライダー
１９１…駆動部材    １９２…摺動部材
１９３…駆動ピン
２００…光学ファインダユニット
２０５…ファインダ光学系
２２１〜２２３…１群レンズ〜３群レンズ
２８２，２８３…２群，３群レンズ保持枠
２４０，２５０…カムレバー
２４３，２５３…カム部（スリット）
２４３ａ，２５３ａ…ピン挿入操作用の切欠部
２７０…支軸
【図１】
0004245907.tif 000002
【図２】
0004245907.tif 000003
【図３】
0004245907.tif 000004
【図４】
0004245907.tif 000005
【図５】
0004245907.tif 000006
【図６】
0004245907.tif 000007
【図７】
0004245907.tif 000008
【図８】
0004245907.tif 000009
【図９】
0004245907.tif 000010
【図１０】
0004245907.tif 000011
【図１１】
0004245907.tif 000012
【図１２】
0004245907.tif 000013
【図１３】
0004245907.tif 000014